(57)【特許請求の範囲】
【請求項１】
遊技領域が形成された遊技盤が備えられ、遊技機裏面側に、遊技領域に設けられる入賞口に入賞した入賞球を機外に導く入賞球集合樋が設けられると共に、各制御を行う各種制御装置が配置される遊技機において、
前記入賞球集合樋は、
入賞球を１条に集合させる集合部と、
該集合部により１条に集合された球を流下させる流下部とを含み、
遊技機裏面側下部に、前記入賞球集合樋に重なる位置にてパネルブラケット部材を配設し、
前記パネルブラケット部材の上方の所定位置に各種制御装置に電源を供給する電源装置を、一側方に賞球等の排出制御を行う排出制御装置を、下方に遊技領域への球の発射制御を行う発射制御装置を配置し、
前記パネルブラケット部材は、
前記流下部の下流の所定区間を構成する入賞球流下区部と、
遊技の制御を統括的に行う遊技制御装置を取付可能な取付部と、
少なくとも前記電源装置から前記排出制御装置と前記発射制御装置への配線を収納する溝状の配線収納部と、
を備え、
前記遊技制御装置が前記配線収納部に収納された配線を覆うようにしたことを特徴とする遊技機。
【発明の詳細な説明】
【０００１】
【発明の属する技術分野】
この発明は、遊技機に関し、詳しくは遊技機の裏面側の構造に関する。
【０００２】
【従来の技術】
従来のパチンコ機等の遊技機は、本体枠（外枠）に前面枠が開閉回動可能に軸支され、遊技盤が前面枠の裏面に取り付けられた収納フレームに取り付けられている。前面枠のさらに収納フレームの裏面に裏機構盤が取り付けられ、裏機構盤に遊技盤の遊技領域に設けられた入賞口に入賞した入賞球を機外に導く入賞球集合樋や賞球等を排出する排出ユニット等が取り付けられている。
【０００３】
裏機構盤は、前面枠の裏面側の遊技盤用開口部を除くほとんどの領域を覆うように形成され、また裏機構盤は、各部品の取付盤として構成される他、遊技球の流路の一部を含むため、正確な成形が必要とされる。
【０００４】
また、各制御を行う制御装置は、機能別に分割されて複数の制御装置（例えば、遊技の制御を統括的に行う遊技制御装置、遊技盤の遊技領域に設けられる画像表示装置の表示を制御する表示制御装置、排出ユニットの球の排出を制御する排出制御装置、遊技領域への球の発射制御を行う発射制御装置、音、ランプ等を制御する装飾制御装置等）から構成されるようになってきている。
【０００５】
このうち、排出制御装置、発射制御装置は、前面枠の裏面側に配置され、その取付部は裏機構盤に備えられる。また、遊技制御装置は、遊技盤の交換時に付随的に交換されるものであるが、設置スペース等から前面枠の裏面側に配置される場合が多く、その際取付部は裏機構盤に備えられる。
【０００８】
【発明が解決しようとする課題】
しかしながら、裏機構盤に遊技制御装置を取り付ける場合、遊技制御装置は機種（例えば、１種、２種）によって大きさが異なるので、機種によって裏機構盤を替えなければならず、そのため複数の裏機構盤を用意しなければならない。裏機構盤は、正確な成形が要求されるため、成形が容易ではなく、複数の裏機構盤を作らなければならないのでは、裏機構盤の開発コストだけでなく、遊技機全体のコストアップにつながってしまう。また、複数の裏機構盤があると、遊技機の製造工場で裏機構盤を間違って取り付けてしまう可能性がある。
【００１０】
また、制御装置の機能別分割化によって、配線の数が増え、配線の接続が複雑になると共に、特に電源装置からの配線の数も増えるので、制御装置を取り付ける場合等、どの配線をどこに接続するのかわかりにくく、配線作業を行いにくくなる。
【００１１】
この発明は、このような問題点を解決することを目的としている。
【００１２】
【課題を解決するための手段】
第１の発明は、遊技領域が形成された遊技盤が備えられ、遊技機裏面側に、遊技領域に設けられる入賞口に入賞した入賞球を機外に導く入賞球集合樋が設けられると共に、各制御を行う各種制御装置が配置される遊技機において、前記入賞球集合樋は、入賞球を１条に集合させる集合部と、該集合部により１条に集合された球を流下させる流下部とを含み、遊技機裏面側下部に、前記入賞球集合樋に重なる位置にてパネルブラケット部材を配設し、前記パネルブラケット部材の上方の所定位置に各種制御装置に電源を供給する電源装置を、一側方に賞球等の排出制御を行う排出制御装置を、下方に遊技領域への球の発射制御を行う発射制御装置を配置し、前記パネルブラケット部材は、前記流下部の下流の所定区間を構成する入賞球流下区部と、遊技の制御を統括的に行う遊技制御装置を取付可能な取付部と、少なくとも前記電源装置から前記排出制御装置と前記発射制御装置への配線を収納する溝状の配線収納部と、を備え、前記遊技制御装置が前記配線収納部に収納された配線を覆うようにする。
【００１６】
【発明の効果】
第１の発明によれば、遊技機裏面側下部に配設するパネルブラケット部材を介して遊技の制御を統括的に行う遊技制御装置を取付可能としたため、機種等によって遊技制御装置の大きさや取付位置が異なる場合であっても、パネルブラケット部材を変更するだけで取り付けることができ、開発コストを低減することが可能である。
また、パネルブラケット部材が入賞球集合樋の流下部の下流の所定区間を構成する入賞球流下区部を備えるため、パネルブラケット部材を取り外すことにより、入賞球集合樋の流下部、入賞球流下区部の流路を開放でき、流路内に溜まった埃等を取り除きやすい。このため、球の良好な流下を維持できる。
また、パネルブラケット部材に少なくとも電源装置から排出制御装置、発射制御装置への配線を収納する配線収納部を備えるので、すっきりとした配線処理を行え、これらの配線の収納によってパネルブラケット部材に遊技制御装置を取り付けやすくなり、これらの配線を遊技制御装置が覆うので、遊技機裏面側のすっきりとした配線処理を行える。
【００２０】
【発明の実施の形態】
以下、本発明の実施の形態を図面に基づいて説明する。
【００２１】
図１に示すように、１は遊技機（パチンコ機）、２はフレーム３（図２）内に遊技盤４を取付ける前面枠、５は遊技盤４の前面を覆うカバーガラス、６は前面枠２を支持する本体枠（外枠）である。
【００２２】
カバーガラス５はガラス枠７を介して前面枠２に開閉可能に取付けられ、前面枠２は本体枠６にヒンジを介して開閉可能に組付けられる。
【００２３】
遊技盤４の表面には、ガイドレール８で囲われた遊技領域のほぼ中央に遊技画像等を表示する可変表示装置９が、可変表示装置９の下方に変動入賞装置１０が配設される。
【００２４】
変動入賞装置１０の直上方には始動口１１が配設され、始動口１１には入賞球を検出する始動センサ１２が設けられる。始動口１１に遊技球が入賞すると、その入賞に基づき可変表示装置９の画像遊技（複数の識別情報の可変表示等）が行われ、この画像遊技の結果、大当たり遊技が発生すると、変動入賞装置１０が所定期間、球を受け入れない閉状態（遊技者に不利な状態）から球を受け入れやすい開状態（遊技者に有利な状態）に変換される。
【００２５】
変動入賞装置１０内には、変動入賞装置１０に入賞した入賞球数をカウントするカウントセンサ１３ならびに変動入賞装置１０の継続入賞口（Ｖ入賞口）への入賞球を検出するＶ入賞センサ１４（カウントセンサを兼ねる）が設けられる。
【００２６】
遊技領域には変動入賞装置１０、始動口１１の外、幾つかの一般入賞口１５〜２１が配設され、各一般入賞口１５〜２１にはそれぞれ入賞球を検出する入賞口センサ２２〜２８が設けられる。遊技盤４の裏面にはこれらに入賞した入賞球を案内する入賞球集合カバー（図示しない）が取付けられる。
【００２７】
３０はアウト口、３１は遊技球の転動誘導部材としての風車、３２〜３４は装飾用のランプ等を示す。
【００２８】
前面枠２の上部には大当たり等のパイロットランプ３５等が配設され、前面枠２の下部の開閉パネル３６には遊技球を打球発射装置に供給する上皿３７が、固定パネル３８には下皿４０、打球発射装置の操作部４１等が配設される。なお、４２はカード式の球貸機である。
【００２９】
図２は遊技機１の裏側を示すもので、遊技盤４の裏面側には、入賞球集合カバーの表面に可変表示装置９の表示制御装置４３、遊技盤４ならびに前面枠２の装飾用のランプ等を制御する装飾制御装置４４、音制御装置４５等が取り付けられ、これらは保護カバー４６によって覆われる。
【００３０】
前面枠２の裏面側には、フレーム３裏面に取付けられる裏機構盤４７の上部に外部から電源を取り入れると共に各種信号線（各制御装置等からの信号線ならびに遊技店の管理装置との間の信号線）を接続するターミナル基板４８、球貯留タンク５０、球貯留タンク５０の球を導く誘導樋５１が、裏機構盤４７の右側に誘導樋５１の球を機前面の上皿３７、下皿４０に払い出す球排出ユニット５２が、裏機構盤４７の左側に各制御装置等に電源を供給する電源装置５３が取り付けられる。
【００３１】
裏機構盤４７の下部には、右側に球排出ユニット５２を制御する排出制御装置５４が、中央から左側に図３のパネルブラケット５５を介して遊技の制御を統括的に行う遊技制御装置５６が、遊技制御装置５６の直ぐ下方に打球発射装置を制御する発射制御装置５７が取り付けられると共に、図４、図５のように裏機構盤４７の内側に遊技盤４の裏面の入賞球集合カバーを流下した入賞球を機外に導くための入賞球集合樋５８が組み付けられる。
【００３２】
入賞球集合樋５８は、裏機構盤４７の遊技盤用の開口部６０に沿って開口して入賞球集合カバーからの入賞球を１条に集合させる集合部６１と、１条に集合された入賞球を流下させる流下部６２とからなり、流下部６２の下流は裏機構盤４７の表面側（各制御装置が取り付けられる側）に設けられた凹室６３の連絡口６４に接続される。
【００３３】
パネルブラケット５５は、表面に遊技制御装置５６を取り付けるための所定高さの取付ボス６５が、表面の左右、上下に配線を収納する溝状の配線収納部６７〜７０が設けられ、入賞球集合樋５８に重なる位置にて、遊技盤用の開口部６０に沿って裏機構盤４７にビスを介して取り付けられると共に、裏機構盤４７の凹室６３に対応する部位に凹室６３に嵌め合わされる入賞球流下区部７１が一体形成される。
【００３４】
取付ボス６５にはワンタッチ式の止め具７２の挿入孔７３が形成される。配線収納部６７，６８，７０は、それぞれ排出制御装置５４、電源装置５３、発射制御装置５７の近傍まで形成される。各配線収納部６７〜７０には配線止め具７４が設けられる。
【００３５】
入賞球流下区部７１には、裏機構盤４７の凹室６３の連絡口６４に接続する流路部７５が形成され、流路部７５の下流端は凹室６３の下部の排出口７６を介して図示しない回収樋に接続され、この流路部７５により入賞球集合樋５８の流下部６２の下流の所定区間が構成される。
【００３６】
７７は遊技盤４の遊技領域のアウト口３０に入ったアウト球を機外に導くためのアウト球流路、７８は球排出ユニット５２により払い出された球を機前面の上皿３７に導く払い出し流路、８０は下皿４０につながるオーバーフロー流路である。
【００３７】
なお、始動口１１、一般入賞口１５〜２１、変動入賞装置１０に遊技球が入賞すると、始動センサ１２、入賞口センサ２２〜２８、変動入賞装置１０のカウントセンサ１３、Ｖ入賞センサ１４の検出信号に基づき遊技制御装置５６から所定の賞球信号が排出制御装置５４に送信され、排出制御装置５４により球排出ユニット５２が所定の賞球を払い出すように制御される。
【００３８】
このような構成により、裏機構盤４７の下部の中央から左側の所定の位置にパネルブラケット５５が、その上方の所定の位置に電源装置５３が、その右側の所定の位置に排出制御装置５４が、その直ぐ下方の所定の位置に発射制御装置５７が取り付けられる。
【００３９】
図３のように、電源装置５３から排出制御装置５４への電源線はパネルブラケット５５の配線収納部６８から６７（図右方向）を通して接続され、電源装置５３から発射制御装置５７への電源線はパネルブラケット５５の配線収納部６８から７０を通して接続される。また、電源装置５３から遊技制御装置５６への電源線はパネルブラケット５５の配線収納部６８から６７（図左方向）を通して配線しておき、パネルブラケット５５に遊技制御装置５６を取り付けた後、接続される。また、電源装置５３から遊技盤４の裏面側の表示制御装置４３、装飾制御装置４４、音制御装置４５等への電源線はパネルブラケット５５の配線収納部６８から６７（図右方向）、６９を通して配線しておき、フレーム３内に遊技盤４を取り付け、その裏面側に表示制御装置４３、装飾制御装置４４、音制御装置４５等を取り付けた後、接続される。
【００４０】
電源装置５３から排出制御装置５４、発射制御装置５７への電源線がパネルブラケット５５の配線収納部６８，６７，７０に収納されるので、すっきりとした配線処理を行える。また、配線収納部６８，６７，７０を電源装置５３、排出制御装置５４、発射制御装置５７の近傍まで形成したので、さらにすっきりとした配線処理を行える。また、配線収納部６７〜７０に発射制御装置５７等からターミナル基板４８等への信号線も収納することができる。
【００４１】
そして、これらの所要の配線後、パネルブラケット５５に遊技制御装置５６が、ワンタッチ式の止め具７２を取付ボス６５の挿入孔７３に差し込むことで、取り付けられる。
【００４２】
パネルブラケット５５の配線収納部６７〜７０を通した電源線、信号線が遊技制御装置５６に覆われるので、遊技機裏面側のすっきりとした配線処理を行える。また、電源線、信号線を配線収納部６７〜７０に収納するので、遊技制御装置５６を取り付けやすい。
【００４３】
また、電源装置５３、排出制御装置５４、発射制御装置５７等の所要の配線後、遊技制御装置５６を取り付けるため、配線数が増えても、電源装置５３から排出制御装置５４、発射制御装置５７への電源線等、接続を行いやすく、良好な配線作業性を得ることができる。そして、電源装置５３、排出制御装置５４、発射制御装置５７等の所要の配線後、取り付けた遊技制御装置５６の配線接続を行うため、遊技制御装置５６の配線接続が分かりやすく、一層良好な配線作業性を確保できる。
【００４４】
一方、裏機構盤４７に取り付けるパネルブラケット５５に取付部（取付ボス６５）を形成して遊技制御装置５６を取り付けるようにしたため、機種等によって遊技制御装置５６の大きさや取付位置が異なる場合、パネルブラケット５５を変更して、取り付ければ良い。この場合、パネルブラケット５５の取付ボス６５の位置を変更する、あるいはパネルブラケット５５に予め複数種類の遊技制御装置を取付可能に複数組の取付ボスを形成しておいて良い。このため、裏機構盤を複数種類用意する必要がなく、開発コストを低減することができる。なお、パネルブラケット５５に遊技制御装置５６だけでなく各制御装置を取付可能な取付部を形成しても良い。
【００４５】
また、従来、入賞球集合樋の下流部に、入賞球を一個宛貯留して、所定数の賞球排出が行われることによって、貯留してある入賞球を機外の島設備側に排出するセーフユニットを備えたものでは、裏機構盤４７の下部表面側に設けた凹室６３にセーフユニットが設置されるのであるが、本パネルブラケット５５にその凹室６３に嵌め合わされる入賞球流下区部７１を一体形成しているため、従来のセーフユニットを廃止する場合、本パネルブラケット５５を取り付けるだけで良い。
【００４６】
この場合、入賞球集合樋５８を流下する球は、そのまま入賞球流下区部７１の流路部７５をスムーズに流下して機外（回収樋）に流出する。この入賞球集合樋５８の流下部６２、入賞球流下区部７１の流路部７５の球の流下状態を図６に示す。
【００４７】
また、パネルブラケット５５が入賞球集合樋５８の流下部６２の下流の所定区間を構成する入賞球流下区部７１を備えるため、パネルブラケット５５を取り外すことにより、入賞球集合樋５８の流下部６２、入賞球流下区部７１の流路部７５が開放され、このため流路内に溜まった埃等を取り除きやすい。
【００４８】
したがって、球の良好な流下を維持でき、流路の信頼性が向上する一方、従来のセーフユニットを廃止した場合でも、裏機構盤４７を変更する必要はなく、遊技機全体のコストの低減を図れる。
【００４９】
図７、図８は、本発明の第２の実施の形態を示すもので、パネルブラケット５５の入賞球流下区部７１に、流下する球を検出可能な球検出センサ９０を取付可能なセンサ取付部９１を形成したものである。
【００５０】
センサ取付部９１には入賞球流下区部７１の表面に開口部９２を設け、球検出センサ９０を取り付ける場合、その開口部９２より球検出センサ９０を差し込んで取り付ける。９３は球検出センサ９０の溝９４に係合して、球検出センサ９０の抜け落ちを防止するための爪部である。
【００５１】
取り付けた球検出センサ９０の信号は、直接遊技店の管理装置に、あるいは排出制御装置５４、ターミナル基板４８を介して遊技店の管理装置に送るようにする。
【００５２】
このようにすれば、遊技店にて実際入賞した入賞球の数と賞球排出の関係を見たい場合、球検出センサ９０の信号を基に実際入賞した入賞球の数を管理装置側で計数することができ、そのため入賞分の賞球が確実に払い出されているかを確認することができる。また、排出制御装置５４から送られる賞球排出情報との比較によって、管理装置側で入賞分の賞球が確実に払い出されているかを確認することも可能になる。また、従来のセーフユニットを廃止して、例えば払い出されるべき賞球が完全に排出されない状態で停電等が発生した場合にあっても、球検出センサ９０の信号を基に遊技店側が入賞球の有ったことを確認でき、賞球を補償することができる。
【図面の簡単な説明】
【図１】遊技機の正面図である。
【図２】遊技機の裏面図である。
【図３】第１の実施の形態のパネルブラケットの正面図である。
【図４】裏機構盤の下部部分の分解斜視図である。
【図５】裏機構盤の下部内側の分解斜視図である。
【図６】入賞球集合樋、入賞球流下区部の球の流下状態図である。
【図７】第２の実施の形態の球検出センサならびにセンサ取付部の構造図である。
【図８】球検出センサの取付状態図である。
【符号の説明】
１  遊技機
２  前面枠
３  フレーム
４  遊技盤
１０  変動入賞装置
１１  始動口
１５〜２１  一般入賞口
４７  裏機構盤
５２  球排出ユニット
５３  電源装置
５４  排出制御装置
５５  パネルブラケット
５６  遊技制御装置
５７  発射制御装置
５８  入賞球集合樋
６１  集合部
６２  流下部
６３  凹室
６５  取付ボス
６７〜７０  配線収納部
７１  入賞球流下区部
７４  配線止め具
７５  流路部
９０  球検出センサ
９１  センサ取付部
【図１】
0003633833.tif 000002
【図２】
0003633833.tif 000003
【図３】
0003633833.tif 000004
【図４】
0003633833.tif 000005
【図５】
0003633833.tif 000006
【図６】
0003633833.tif 000007
【図７】
0003633833.tif 000008
【図８】
0003633833.tif 000009